(57)【要約】【課題】  逆差防止部品を電池弾性接触端子に取り付けることなく、電池の逆差を防止するとともに、電池に必要な接触圧を確保することができる電池ケースを提供する。【解決手段】  円柱状の電池６１が収容される収容部Ｓ１と、収容部の一方の底部に配置される、マイナス極端子６１ｂに接触する負極側端子（端子板５１）と、収容部の他方の底部に配置される、プラス極端子６１ａに接触する弾性体の正極側弾性端子３０と、正極側弾性端子と、収容部に収容された電池との間に配置される、収容部Ｓ１の長手方向Ｄにスライド可能な逆差防止部品２０と、を備え、逆差防止部品は、マイナス極端子と当接可能な当接面（前面当接面２１ａ）と、当接面の近傍にプラス極端子を挿入可能な開口部２５と、を備え、マイナス極端子を当接面に当接させて収容部に収容する際に、正極側弾性端子は、逆差防止部品の背面に押されて、当接面から突出しない位置に弾性変形する。【選択図】図７
2020098673.tif 000002
【特許請求の範囲】
【請求項１】
凸状のプラス極端子とマイナス極端子とを備える円柱状の電池が収容される収容部と、
前記収容部の一方の底部に配置される、前記マイナス極端子に接触する負極側端子と、
前記収容部の他方の底部に配置される、前記プラス極端子に接触する弾性体の正極側弾性端子と、
前記正極側弾性端子と、前記収容部に収容された前記電池との間に配置される、前記収容部の長手方向にスライド可能な逆差防止部品と、を備え、
前記逆差防止部品は、前記マイナス極端子と当接可能な当接面と、前記当接面の近傍に前記プラス極端子を挿入可能な開口部と、を備え、
前記マイナス極端子を前記当接面に当接させて前記収容部に収容する際に、前記正極側弾性端子は、前記逆差防止部品の背面に押されて、前記当接面から突出しない位置に弾性変形する
ことを特徴とする、電池ケース。
【請求項２】
前記負極側端子は、前記収容部の開口に蓋をする蓋部材に取り付けられ、
前記収容部の長手方向の前記負極側端子の長さは、前記正極側弾性端子より短い
ことを特徴とする、請求項１に記載の電池ケース。
【請求項３】
前記正極側弾性端子は、前記逆差防止部品の前記背面に当接可能な傾斜部を有する板ばねである
ことを特徴とする、請求項１又は２に記載の電池ケース。
【請求項４】
前記正極側弾性端子は、前記開口部より大きな径の大径部と、前記開口部より小さな径の小径部とを備える圧縮ばねである
ことを特徴とする、請求項１又は２に記載の電池ケース。
【請求項５】
前記逆差防止部品は、
前記収容部の下面に摺動可能な下方摺動部と、
前記収容部の上面に摺動可能な上方摺動部と、
前記収容部の前記逆差防止部品の側方の縦壁に摺動可能な側方摺動部と、を備える
ことを特徴とする、請求項１〜４の何れか一項に記載の電池ケース。
【発明の詳細な説明】
【技術分野】
【０００１】
本発明は、円柱状の電池（例えば、単三型の電池）が収容される電池ケースに関する。
【背景技術】
【０００２】
従来、電池ケースは、電池の正負極の誤った装着により電気的接続が形成されないように、逆差防止部品が設けられることが知られている（例えば、特許文献１参照）。
【先行技術文献】
【特許文献】
【０００３】
【特許文献１】特開２００８−６００５２号公報
【発明の概要】
【発明が解決しようとする課題】
【０００４】
特許文献１には、穿通エリアを設けた絶縁部材が、電池弾性接触端子の第一弾性アーム上に固定されている構成を開示されている。これにより、電池の突出した正極が電池弾性接触端子に接触するとき、突出した正極が第一弾性アームの接触片に接触して電気的接続が形成され、使用者が電池を入れる方向を誤った場合は、電池の平らな負極が絶縁部材に阻隔されるため、電池弾性接触端子との電気的接続が形成されないようになっている。
【０００５】
しかしながら、特許文献１に記載の構成は、細かい絶縁部材を電池弾性接触端子に取り付ける面倒な組立作業が発生する、という問題がある。
【０００６】
そこで、本発明は、逆差防止部品を電池弾性接触端子に取り付けることなく、電池の逆差を防止するとともに、電池に必要な接触圧を確保することができる電池ケースを提供することを目的としている。
【課題を解決するための手段】
【０００７】
前記目的を達成するために、本発明の電池ケースは、凸状のプラス極端子とマイナス極端子とを備える円柱状の電池が収容される収容部と、前記収容部の一方の底部に配置される、前記マイナス極端子に接触する負極側端子と、前記収容部の他方の底部に配置される、前記プラス極端子に接触する弾性体の正極側弾性端子と、前記正極側弾性端子と、前記収容部に収容された前記電池との間に配置される、前記収容部の長手方向にスライド可能な逆差防止部品と、を備え、前記逆差防止部品は、前記マイナス極端子と当接可能な当接面と、前記当接面の近傍に前記プラス極端子を挿入可能な開口部と、を備え、前記マイナス極端子を前記当接面に当接させて前記収容部に収容する際に、前記正極側弾性端子は、前記逆差防止部品の背面に押されて、前記当接面から突出しない位置に弾性変形することを特徴とする。
【発明の効果】
【０００８】
このように構成された本発明の電池ケースは、逆差防止部品を電池弾性接触端子に取り付けることなく、電池の逆差を防止するとともに、電池に必要な接触圧を確保することができる。
【図面の簡単な説明】
【０００９】
【図１】実施例１の電池ケースの構成を示す斜視図である。
【図２】実施例１のケース本体を示す斜視図である。
【図３】実施例１のケース本体の一部を拡大して示す斜視図である。
【図４】実施例１の逆差防止品と正極側弾性端子を示す分解斜視図である。
【図５】実施例１の電池ケースを示す断面図である。
【図６】実施例１の電池ケースに正しい向きで電池を収容した状態を示す断面図である。
【図７】実施例１の電池ケースに誤った向きで電池を収容した状態を示す断面図である。
【図８】実施例２の電池ケースを示す断面図である。
【図９】実施例３の電池ケースを示す断面図である。
【発明を実施するための形態】
【００１０】
以下、本発明による電池ケースを実現する実施形態を、図面に示す実施例１〜実施例３に基づいて説明する。
【実施例１】
【００１１】
実施例１における電池ケースは、２本の単三型の電池を電源として使用する電子機器に適用される。
【００１２】
［電池ケースの構成］
図１は、実施例１の電池ケースの構成を示す斜視図である。以下、図１に基づいて、実施例１の電池ケースの構成を説明する。
【００１３】
電池ケース１は、図１に示すように、ケース本体１０と、ケース本体１０に取り付けられるカバー２と、蓋部材５０と、から構成される。
【００１４】
電池ケース１の内部には、円柱状の２本の電池６１を収容する収容部Ｓ１，Ｓ２が形成される。電池６１は、例えば単三型の電池や単四型の電池である。収容部Ｓ１，Ｓ２は、電池６１を挿入可能な開口４を有する。電池６１は、電池６１の長手方向の端部から、開口４を通して収容部Ｓ１，Ｓ２に挿入されて収容される。
【００１５】
一方の電池６１は、凸状のプラス極端子６１ａ側から開口４を通して収容部Ｓ１に挿入される。他方の電池６１は、マイナス極端子６１ｂ側から開口４を通して収容部Ｓ２に挿入される。これにより、電子機器が稼働可能となる。
【００１６】
蓋部材５０は、ヒンジ部５を介して、開口４に対して蓋をした閉位置と、開口４を開放した開位置との間を移動可能とする。閉位置において、蓋部材５０をスライドさせて、蓋部材５０をケース本体１０及びカバー２に固定するロック機構を設けてもよい。閉位置にある蓋部材５０は、収容部Ｓ１，Ｓ２の一方の底部を構成する。
【００１７】
蓋部材５０は、内面に負極側端子としての端子板５１が取り付けられる。端子板５１は、導電性を有する金属から形成される。端子板５１は、２つの突起部５２，５３が形成される。突起部５２，５３は、収容部Ｓ１，Ｓ２に電池６１が収容されて、蓋部材５０が閉位置にある状態で、電池６１のプラス極端子６１ａとマイナス極端子６１ｂとに接触可能とする。
【００１８】
なお、収容部Ｓ１の長手方向を長手方向Ｄとする。実施例１では、長手方向Ｄが、電池６１が挿抜される挿抜方向となる。また、電池６１が抜かれる方向を前方向Ｆとし、電池６１が挿入される方向を後方向Ｂとする。
【００１９】
［逆差防止構造の構成］
図２は、実施例１のケース本体１０を示す斜視図である。図３は、実施例１のケース本体１０の一部を拡大して示す斜視図である。図４は、実施例１の逆差防止品と正極側弾性端子を示す分解斜視図である。図５は、実施例１の電池ケース１を示す断面図である。以下、図２〜図５に基づいて、実施例１の逆差防止構造の構成を説明する。
【００２０】
（ケース本体）
ケース本体１０には、図２〜図４に示すように、逆差防止部品２０と、正極側弾性端子３０と、円錐状のコイルばねの負極弾性端子４０と、が取り付けられる。
【００２１】
正極側弾性端子３０は、収容部Ｓ１の開口４とは反対側の端部に配置される。すなわち、正極側弾性端子３０は、収容部Ｓ１の他方の底部に配置される。負極弾性端子４０は、収容部Ｓ２の開口４とは反対側の端部に配置される。すなわち、負極弾性端子４０は、収容部Ｓ１の他方の底部に配置される。
【００２２】
逆差防止部品２０は、正極側弾性端子３０と、収容部Ｓ１に収容された電池６１との間に配置される。逆差防止部品２０は、ケース本体１０の底面が窪んだ窪み部１１に配置される。
【００２３】
（逆差防止部品）
逆差防止部品２０は、例えば樹脂等により絶縁体として形成される。逆差防止部品２０は、図４に示すように、本体部２１と、本体部２１から側方に突出する袖部２２と、本体部２１の下側で、本体部２１から前方向Ｆに延在する脚部２３と、を備える。
【００２４】
本体部２１の前面側には、電池６１の、電池６１のプラス極端子６１ａの周縁部又はマイナス極端子６１ｂに当接可能な当接面としての前面当接面２１ａが形成される。前面当接面２１ａは、本体部２１の中央付近に開口部２５を形成するように枠状に形成される。
【００２５】
開口部２５は、電池６１のプラス極端子６１ａを挿入可能であるが、電池６１のマイナス極端子６１ｂを挿入できない程度の大きさに形成される。
【００２６】
本体部２１の上面には、図４及び図５に示すように、カバー２の下面２ａに当接する２つの上方摺動部２１ｆを備える。上方摺動部２１ｆは、長手方向Ｄに延びる断面半円状の凸部として形成される。すなわち、上方摺動部２１ｆは、収容部Ｓ１の上面に摺動可能に形成される。
【００２７】
袖部２２は、図３及び図４に示すように、上下方向において、本体部２１の中央より若干上方に設けられる。袖部２２は、本体部２１の両方の側面から、側方に突出するように形成される。
【００２８】
一方の袖部２２の下面には、ケース本体１０の縦壁としての側壁１２の上面１２ａに当接する２つの側方摺動部２２ａを備える。他方の袖部２２の下面には、ケース本体１０の縦壁としての中央壁１３の上面１３ａに当接する２つの側方摺動部２２ａを備える。側方摺動部２２ａは、長手方向Ｄに垂直な方向に延びる断面半円状の凸部として形成される。すなわち、上方摺動部２１ｆは、収容部Ｓ１の縦壁に摺動可能に形成される。なお、カバー２に、袖部２２の上下方向の動きを規制する規制リブを設けてもよい。
【００２９】
脚部２３は、図４及び図５に示すように、本体部２１の下側に２つ形成される。各脚部２３の下面には、ケース本体１０の窪み部１１の底面１１ａに当接する下方摺動部２３ａを備える。下方摺動部２３ａは、長手方向Ｄに延びる断面半円状の凸部として形成される。すなわち、下方摺動部２３ａは、収容部Ｓ１の下面に摺動可能に形成される。
【００３０】
このように構成された逆差防止部品２０は、上方摺動部２１ｆと、側方摺動部２２ａと、下方摺動部２３ａとによって、支持された状態で、長手方向Ｄにスライド可能となる。また、逆差防止部品２０は、ケース本体１０の側壁１２に設けられた段差状のストッパ部１２ｂと、窪み部１１に設けられた段差状のストッパ部１１ｂとによって、前方向Ｆへの移動が規制されるようになっている。
【００３１】
本体部２１の後面側（背面側）には、図５に示すように、背面として、第１後面２１ｂと、第１後面２１ｂより後方に形成された第２後面２１ｃと、を備える。
【００３２】
第１後面２１ｂは、開口部２５の下方に形成される。第２後面２１ｃは、開口部２５の上方と下方とに形成される。第１後面２１ｂの角部２１ｄには、後述する正極側弾性端子３０の傾斜部３３ａが当接可能となっている。なお、第１後面２１ｂを設けないで、第２後面２１ｃに後述する正極側弾性端子３０の傾斜部３３ａを当接させてもよい。
【００３３】
（正極側弾性端子）
正極側弾性端子３０は、導電性を有する金属で形成される。負極側端子としての端子板５１の長手方向Ｄの長さは、正極側弾性端子３０の長手方向Ｄの長さより短く形成される。正極側弾性端子３０は、図４に示すように、板状に形成される端子本体３１と、端子本体３１の下側から延びる２つの第１弾性部３２と、端子本体３１の下側から延びる１つの第２弾性部３３と、端子本体３１の上側から延びる接続部３５と、を備える。
【００３４】
端子本体３１は、板状に形成される。第１弾性部３２は、弾性を有するように、帯状の板を折り曲げて形成される。第１弾性部３２は、正極側弾性端子３０の幅方向において、両端部付近に設けられる。
【００３５】
第２弾性部３３は、２つの第１弾性部３２の間に設けられる。第２弾性部３３は、開口部２５の幅より短い幅の帯状の板を折り曲げて形成され、弾性を有する。
【００３６】
第２弾性部３３は、図４及び図５に示すように、傾斜部３３ａと、先端部３３ｂと、曲部３３ｃと、を備える。
【００３７】
傾斜部３３ａは、帯状の板を折り曲げられた起点から、上下方向に対して、前方向Ｆに傾斜して形成される。先端部３３ｂは、傾斜部３３ａの先端から、曲部３３ｃを介して、略上方に延びるように形成される。
【００３８】
接続部３５は、端子本体３１の上端から、後方向Ｂに延びて、図示しない電線等により、電子機器を制御する制御基板に接続される。
【００３９】
図５に示すように、第１弾性部３２が、ケース本体１０に形成された溝部１１ｃに嵌めこまれることで、正極側弾性端子３０がケース本体１０に取り付けられる。正極側弾性端子３０が、ケース本体１０に取り付けられた状態では、傾斜部３３ａと、先端部３３ｂと、曲部３３ｃとは、開口部２５に挿入されるようになっている。
【００４０】
［電池挿入時の動作］
図６は、実施例１の電池ケース１に正しい向きで電池６１を収容した状態を示す断面図である。図７は、実施例１の電池ケース１に誤った向きで電池６１を収容した状態を示す断面図である。以下、図６及び図７に基づいて、実施例１の電池挿入時の動作を説明する。
【００４１】
（正しい向きで電池を収容した場合）
電池６１を、電池６１の凸状のプラス極端子６１ａ側から開口４を通して収容部Ｓ１に挿入すると、プラス極端子６１ａが正極側弾性端子３０の曲部３３ｃに当接する。
【００４２】
プラス極端子６１ａが正極側弾性端子３０の曲部３３ｃに当接した状態で、さらに電池６１を押し込むと、図６に示すように、正極側弾性端子３０の第２弾性部３３が、プラス極端子６１ａに押され、後方向Ｂに弾性変形する。この際、逆差防止部品２０は、電池６１のプラス極端子６１ａの外周縁（端面）に押されて、後方向Ｂにスライドする。そして、蓋部材５０を開口４に対して蓋をした閉位置にする。
【００４３】
これにより、電池６１は、正極側弾性端子３０と端子板５１に対して、電気的な接続がされることになる。
【００４４】
（誤った向きで電池を収容した場合）
電池６１を、電池６１のマイナス極端子６１ｂ側から開口４を通して収容部Ｓ１に挿入すると、マイナス極端子６１ｂが逆差防止部品２０の前面当接面２１ａに当接する。
【００４５】
マイナス極端子６１ｂが逆差防止部品２０の前面当接面２１ａに当接した状態で、さらに電池６１を押し込むと、図７に示すように、逆差防止部品２０は、後方向Ｂにスライドする。この際、正極側弾性端子３０の第２弾性部３３の傾斜部３３ａは、逆差防止部品２０の第１後面２１ｂの角部２１ｄに当接しつつ、後方向Ｂに押され、正極側弾性端子３０の第２弾性部３３が弾性変形する。
【００４６】
この状態では、正極側弾性端子３０の第２弾性部３３は、逆差防止部品２０の開口部２５から突出しない位置にある。また、蓋部材５０を閉位置にしようとしても、凸状のプラス極端子６１ａが邪魔をして、蓋部材５０を閉位置にすることができない。
【００４７】
これにより、電池６１は、正極側弾性端子３０と端子板５１に対して、電気的な接続がされないことになる。
【００４８】
［電池ケースの作用］
実施例１の電池ケース１の作用を説明する。実施例１の電池ケース１は、凸状のプラス極端子６１ａとマイナス極端子６１ｂとを備える円柱状の電池６１が収容される収容部Ｓ１と、収容部Ｓ１の一方の底部に配置される、マイナス極端子６１ｂに接触する負極側端子（端子板５１）と、収容部Ｓ１の他方の底部に配置される、プラス極端子６１ａに接触する弾性体の正極側弾性端子３０と、正極側弾性端子３０と、収容部Ｓ１に収容された電池６１との間に配置される、収容部Ｓ１の長手方向Ｄにスライド可能な逆差防止部品２０と、を備え、逆差防止部品２０は、マイナス極端子６１ｂと当接可能な当接面（前面当接面２１ａ）と、当接面（前面当接面２１ａ）の近傍にプラス極端子６１ａを挿入可能な開口部２５と、を備え、マイナス極端子６１ｂを当接面（前面当接面２１ａ）に当接させて収容部Ｓ１に収容する際に、正極側弾性端子３０は、逆差防止部品２０の背面に押されて、当接面（前面当接面２１ａ）から突出しない位置に弾性変形する（図７）。
【００４９】
これにより、収容部Ｓ１に、電池６１のプラス極端子６１ａを逆差防止部品２０に向けた姿勢で収容した場合、プラス極端子６１ａを開口部２５に挿入して正極側弾性端子３０に接触させることができる。そして、この状態では、圧縮された正極側弾性端子３０の弾性力により、電池６１に対して、必要な接触圧を確保することができる。
【００５０】
一方、収容部Ｓ１に、電池６１のマイナス極端子６１ｂを逆差防止部品２０に向けた姿勢で収容した場合、マイナス極端子６１ｂを当接面（前面当接面２１ａ）に当接させてマイナス極端子６１ｂを正極側弾性端子３０に非接触にすることができる。そのため、逆差防止部品２０を正極側弾性端子３０に取り付けることなく、簡易な構成で、電池６１の逆差を防止するとともに、電池６１に必要な接触圧を確保することができる。
【００５１】
実施例１の電池ケース１は、負極側端子（端子板５１）は、収容部Ｓ１の開口４に蓋をする蓋部材５０に取り付けられ、収容部Ｓ１の長手方向Ｄの負極側端子（端子板５１）の長さは、正極側弾性端子３０より短い（図７）。
【００５２】
これにより、蓋部材５０を開閉して、電池６１を交換する際に、負極側端子（端子板５１）が邪魔にならないようにすることができる。そのため、ユーザの電池６１の交換性を向上させることができる。
【００５３】
また、収容部Ｓ１に、電池６１のマイナス極端子６１ｂを逆差防止部品２０に向けた姿勢で収容した場合は、凸状のプラス極端子６１ａ分だけ電池６１が収容部Ｓ１から突出することになる。そのため、収容部Ｓ１に、電池６１のマイナス極端子６１ｂを逆差防止部品２０に向けた姿勢で収容した場合は、蓋部材５０を閉まらないようにすることができる。その結果、ユーザは、早期に電池６１の誤着に気付くことができる。
【００５４】
実施例１の電池ケース１では、正極側弾性端子３０は、逆差防止部品２０の背面（第１後面２１ｂ）に当接可能な傾斜部３３ａを有する板ばねである（図４）。
【００５５】
これにより、収容部Ｓ１に、電池６１のマイナス極端子６１ｂを逆差防止部品２０に向けた姿勢で収容した場合、マイナス極端子６１ｂを当接面（前面当接面２１ａ）に当接させ、逆差防止部品２０の背面（第１後面２１ｂ）で、傾斜部３３ａを押して、板ばねを弾性変形させることができる。そのため、簡易な構成で、電池６１の逆差を防止するとともに、電池６１に必要な接触圧を確保することができる。
【００５６】
実施例１の電池ケース１では、逆差防止部品２０は、収容部Ｓ１の下面（窪み部１１の底面１１ａ）に摺動可能な下方摺動部２３ａと、収容部Ｓ１の上面（カバー２の下面２ａ）に摺動可能な上方摺動部２１ｆと、収容部Ｓ１の逆差防止部品２０の側方の縦壁（側壁１２，中央壁１３）に摺動可能な側方摺動部２２ａと、を備える（図４）。
【００５７】
これにより、逆差防止部品２０を収容部Ｓ１に対して、姿勢を安定させて移動させることができる。そのため、逆差防止部品２０を、収容部Ｓ１内を滑らかに移動させることができる。その結果、安定して、電池６１の逆差を防止するとともに、電池６１に必要な接触圧を確保することができる。
【実施例２】
【００５８】
実施例２の電池ケースは、正極側弾性端子が異なる点で、実施例１の電池ケースと相違する。
【００５９】
［正極側弾性端子の構成］
図８は、実施例２の電池ケースを示す断面図である。以下、図８に基づいて、実施例２の正極側弾性端子の構成を説明する。なお、実施例１で説明した内容と同一乃至均等な部分の説明については、同一用語又は同一の符号を用いて説明する。
【００６０】
実施例２の正極側弾性端子１３０の第２弾性部１３３は、８に示すように、傾斜部１３３ａと、先端部１３３ｂと、曲部１３３ｃと、を備える。
【００６１】
傾斜部３３ａは、帯状の板を折り曲げられた起点から、上下方向に対して、前方向Ｆに傾斜して形成される。先端部３３ｂは、傾斜部３３ａの先端から、曲部３３ｃを介して、略上方に延びるように形成される。
【００６２】
正極側弾性端子１３０が、ケース本体１０に取り付けられた状態では、傾斜部１３３ａと、先端部１３３ｂと、曲部１３３ｃとは開口部２５に挿入されるようになっている。先端部１３３ｂは、第２後面２１ｃの角部２１ｅに当接可能となっている。
【００６３】
このように、正極側弾性端子１３０の先端部１３３ｂが第２後面２１ｃの角部２１ｅに当接する構成であっても、実施例１と同様の作用効果を発揮する。
【００６４】
なお、他の構成及び作用効果については、上記実施例と略同様であるので説明を省略する。
【実施例３】
【００６５】
実施例３の電池ケースは、正極側弾性端子が異なる点で、実施例１の電池ケースと相違する。
【００６６】
［正極側弾性端子の構成］
図９は、実施例３の電池ケースを示す断面図である。以下、図９に基づいて、実施例３の正極側弾性端子の構成を説明する。なお、実施例１で説明した内容と同一乃至均等な部分の説明については、同一用語又は同一の符号を用いて説明する。
【００６７】
実施例３の正極側弾性端子２３０は、導電性を有する金属で圧縮ばねとして形成される。負極側端子としての端子板５１の長手方向Ｄの長さは、正極側弾性端子２３０の長手方向Ｄの長さより短く形成される。
【００６８】
正極側弾性端子２３０は、図９に示すように、逆差防止部品２０の開口部２５より大きな径の大径部２３１と、開口部２５より小さな径の小径部２３２と、接続部２３５と、を備える圧縮ばねである。
【００６９】
大径部２３１の端部は、逆差防止部品２０の第２後面２１ｃと当接可能とする。小径部２３２は、逆差防止部品２０の開口部２５から突出しない位置にある。
【００７０】
［電池ケースの作用］
実施例３の電池ケース１の作用を説明する。実施例３の電池ケース１は、正極側弾性端子２３０は、開口部２５より大きな径の大径部２３１と、開口部２５より小さな径の小径部２３２とを備える圧縮ばねである（図９）。
【００７１】
これにより、収容部Ｓ１に、電池６１のプラス極端子６１ａを逆差防止部品２０に向けた姿勢で収容した場合、プラス極端子６１ａを開口部２５に挿入して正極側弾性端子２３０の小径部２３２に接触させることができる。そして、この状態では、圧縮された正極側弾性端子２３０の弾性力により、電池６１に対して、必要な接触圧を確保することができる。
【００７２】
一方、収容部Ｓ１に、電池６１のマイナス極端子６１ｂを逆差防止部品２０に向けた姿勢で収容した場合、マイナス極端子６１ｂを当接面（前面当接面２１ａ）に当接させてマイナス極端子６１ｂを正極側弾性端子２３０に非接触にすることができる。そのため、簡易な構成で、電池６１の逆差を防止するとともに、電池６１に必要な接触圧を確保することができる。
【００７３】
なお、他の構成及び作用効果については、上記実施例と略同様であるので説明を省略する。
【００７４】
以上、本発明の電池ケースを実施例１〜実施例３に基づき説明してきた。しかし、具体的な構成については、これらの実施例に限られるものではなく、特許請求の範囲の各請求項に係る発明の要旨を逸脱しない限り、各実施例の組み合わせや、設計の変更や、追加等は許容される。
【００７５】
実施例１〜実施例３では、逆差防止部品２０の開口部２５を貫通穴とする例を示した。しかし、開口部としては、切欠きであってもよい。
【００７６】
実施例１〜実施例３では、電池６１を単三型又は単四型の電池とする例を示した。しかし、電池としては、円柱状の電池であればよい。
【００７７】
実施例１及び実施例２では、正極側弾性端子３０，１３０を板ばねとし、実施例３では、正極側弾性端子２３０を圧縮ばねとする例を示した。しかし、正極側弾性端子としては、前方向Ｆに弾性力を作用させるものであればよい。
【００７８】
実施例１及び実施例２では、第２弾性部３３，１３３の先端部３３ｂ，１３３ｂが上方を向くように構成される例を示した。しかし、第２弾性部の先端部は、この態様に限定されず、下方を向くように構成されてもよい。
【００７９】
実施例１〜実施例３では、電池６１は、電池６１の長手方向の端部から、開口４を通して収容部Ｓ１，Ｓ２に挿入されて収容される例を示した。しかし、電池６１を、ケース本体１０の上方から収容部Ｓ１，Ｓ２に収容されてもよい。
【００８０】
実施例１〜実施例３では、電池ケース１が蓋部材５０を備える例を示した。しかし、電池ケース１としては、蓋部材５０を設ける替わりに、壁を設けてもよい。
【００８１】
実施例３では、正極側弾性端子２３０は、開口部２５より大きな径の大径部２３１と、開口部２５より小さな径の小径部２３２とを備える例を示した。しかし、正極側弾性端子としては、小径部を設けなくてもよい。この場合、大径部にプラス極端子６１ａを接触させる。これにより、電池６１の逆差を防止するとともに、電池６１に必要な接触圧を確保することができる。
【００８２】
実施例１〜実施例３では、本発明を、電池６１を並列に配置する電池ケース１，１０１に適用する例を示した。しかし、本発明は、電池６１を直列に配置する電池ケースに適用することができる。
【００８３】
実施例１〜実施例３では、本発明を２本の電池を電源として使用する電子機器に適用する例を示した。しかし、本発明は、１本の電池や、３本以上の電池を電源として使用する電子機器に適用することができる。
【符号の説明】
【００８４】
１        電池ケース
４        開口
２０      逆差防止部品
２１ａ    前面当接面（当接面の一例）
２１ｂ    第１後面（背面の一例）
２１ｆ    上方摺動部
２２ａ    側方摺動部
２３ａ    下方摺動部
２５      開口部
３０      正極側弾性端子
３３ａ    傾斜部
５１      端子板（負極側端子の一例）
５０      蓋部材
６１      電池
６１ａ    プラス極端子
６１ｂ    マイナス極端子
２３０    正極側弾性端子
２３１    大径部
２３２    小径部
Ｄ        長手方向
Ｓ１      収容部
【図１】
2020098673.tif 000003
【図２】
2020098673.tif 000004
【図３】
2020098673.tif 000005
【図４】
2020098673.tif 000006
【図５】
2020098673.tif 000007
【図６】
2020098673.tif 000008
【図７】
2020098673.tif 000009
【図８】
2020098673.tif 000010
【図９】
2020098673.tif 000011